(57)【要約】      （修正有）【課題】機能を簡便に変更することがアダプタカードを提供する。【解決手段】アダプタカードは、コンピュータの機能を拡張するためのアダプタカード１００であって、コンピュータに設けられた拡張スロットのメスコネクタに挿抜可能に装着されるオスコネクタ１０３と、オスコネクタ１０３と同じバス・アーキテクチャーに対応し、メスコネクタに挿抜可能に装着されるオスコネクタ１０４とを備え、オスコネクタ１０４は、オスコネクタ１０３がメスコネクタに装着された状態から表裏ひっくり返された状態で、メスコネクタに装着されるものである。【選択図】  図１
2007316722.tif 000002
【特許請求の範囲】
【請求項１】
複数のコネクタを備えた回路ボードであって、
前記複数のコネクタは、同一のスロットに選択的に挿抜可能である回路ボード。
【請求項２】
前記複数のコネクタはそれぞれ、前記スロットにおいて電気的に接続される複数の金属端子を有し、
前記複数のコネクタそれぞれに設けられた複数の金属端子は、各コネクタで同一の配置構造を有することを特徴とする請求項１に記載の回路ボード。
【請求項３】
前記複数のコネクタは、前記スロットに挿抜される方向に対して垂直な当該回路ボードの中心線に関して線対称に配置されることを特徴とする請求項１又は２に記載の回路ボード。
【請求項４】
前記複数のコネクタは、前記中心線に平行な１組の対辺に線対称に配設されることを特徴とする請求項３に記載の回路ボード。
【請求項５】
前記複数のコネクタとは別個に設けられ、外部機器に接続される機器側コネクタを、さらに備えることを特徴とする請求項１乃至３のいずれかに記載の回路ボード。
【請求項６】
前記機器側コネクタは、前記１組の対辺とは異なる他の辺に配設されることを特徴とする請求項５に記載の回路ボード。
【請求項７】
ブラケットに固定される回路ボードであって、
前記複数のコネクタの内、所定のコネクタは、当該所定のコネクタと異なる他のコネクタが前記ブラケットに装着された状態に対して、前記中心線を軸として１８０度回転した状態で前記ブラケットに装着されることを特徴とする請求項１乃至６のいずれかに記載の回路ボード。
【請求項８】
前記ブラケットに固定するための複数の固定手段を有し、
当該複数の固定手段は前記中心線に関して線対称に配置されることを特徴とする請求項７に記載の回路ボード。
【請求項９】
当該複数のコネクタそれぞれに電気的に接続された複数の回路素子と、
当該複数の回路素子と前記複数のコネクタとをそれぞれ接続する複数の配線群とを、さらに備えたことを特徴とする請求項１乃至８のいずれかに記載の回路ボード。
【請求項１０】
前記複数の回路素子それぞれに電気的に独立に接続された所定の回路素子と、
当該所定の回路素子と前記複数の回路素子それぞれとの接続を切り替える切替回路とを、さらに備えたことを特徴とする請求項９に記載の回路ボード。
【請求項１１】
前記切替回路は、前記スロットに装着されたコネクタに応じて、前記複数の回路素子から前記スロットに装着されたコネクタに接続された回路素子を選択する請求項１０に記載の回路ボード。
【請求項１２】
前記所定の回路素子は、前記機器側コネクタに電気的に接続された物理層コントローラであり、
前記複数の回路素子は、前記物理層コントローラに対する上位層コントローラであることを特徴とする請求項１０又は１１に記載の回路ボード。
【請求項１３】
前記複数のコネクタは、ＰＣＩバス規格、ＩＳＡバス規格若しくはＰＣＩ−Ｅｘｐｒｅｓｓ規格に準拠することを特徴とする請求項１乃至１２のいずれかに記載の回路ボード。
【請求項１４】
前記機器側コネクタは、ＵＳＢ規格、ＩＥＥＥ１３９４規格を含む規格に準拠することを特徴とする請求項５乃至１３のいずれかに記載の回路ボード。
【発明の詳細な説明】
【技術分野】
【０００１】
本発明は、回路ボードに関する。
【背景技術】
【０００２】
従来から、パーソナルコンピュータ（Personal Computer）等のコンピュータのシステムバスとして、ＰＣＩ（Peripheral Component Interconnect）バスが主として採用されている。一般的なコンピュータのマザーボードにはＰＣＩ用のメスコネクタが配置され、ユーザーは用途に合わせて、このメスコネクタにアダプタカードのオスコネクタを差し込む。ユーザーの幅広い用途に応えるために、ＰＣＩ用端子を有する複数のＬＳＩ（Large Scale Integration）を１枚のアダプタカードに搭載し、１枚のアダプタカードで複数の機能を実現する技術も開発されている。このように複数の機能を１枚のアダプタカードに実装し、かつアダプタカードのコストを安くすることが求められている。
【０００３】
例えば、特許文献１には、バス変換機能を有するＬＳＩが搭載されたアダプタカードが開示されている。この搭載されたＬＳＩが複数種のインタフェースを切り替え、アダプタカードは同一のＰＣＩバスに接続することができる。そのため、このアダプタカードにはバスブリッジ機能を有するＬＳＩを余分に搭載する必要があり、低コスト化が困難である。
【０００４】
また、特許文献２には、アダプタカードの上下にメスとオスの関係であるコネクタが設けられたアダプタカードが開示されている。このアダプタカードでは、二つのコネクタのうち、一方のコネクタがレセプタクルになっているので、マザーボード上のメスコネクタに挿抜することができない。
【０００５】
さらに、特許文献３には、１枚のアダプタカードの対辺に二つのバス・アーキテクチャー用のエッジ・コネクタが別個に設けられたアダプタカードが開示されている。このアダプタカードでは、１枚のアダプタカードで複数のＬＳＩが搭載され、各コネクタにＬＳＩを接続することができる。
【０００６】
このアダプタカードでは、二つのエッジ・コネクタそれぞれが異なるバス・アーキテクチャーに対応している。そのため、これら二つのエッジ・コネクタは、マザーボード上の１種類のバス・アーキテクチャーに対応することはできない。さらに、対辺に２種類のエッジ・コネクタを使用するため、それぞれに対して二つのブラケットを作成する必要がある。さらにまた、コネクタ・ボード・アセンブリも作成する必要があるため、低コスト化が困難である。
【特許文献１】特開２０００−１７２６３２号公報
【特許文献２】特開平１１−１７５１９３号公報
【特許文献３】特開平３−２７４６４号公報
【発明の開示】
【発明が解決しようとする課題】
【０００７】
このように、従来のアダプタカードでは、機能を簡便に変更することができないという問題点があった。
【課題を解決するための手段】
【０００８】
本発明に係る回路ボードは、複数のコネクタを備えた回路ボードであって、前記複数のコネクタは、同一のスロットに選択的に挿抜可能であるものである。これにより、使用する機能を簡便に選択することができる。
【発明の効果】
【０００９】
本発明によれば、回路ボードを実装したシステムの機能を、電気的特性を損なうことなく、簡便に変更可能な回路ボードを提供することができる。
【発明を実施するための最良の形態】
【００１０】
本発明に係る回路ボードは、同じバス・アーキテクチャーに従った２種類のオスコネクタを有し、これら２種類のオスコネクタがそれぞれに対応した１種類のメスコネクタに差込まれるものである。さらに、本発明に係る回路ボードでは、二つのＬＳＩが１枚のアダプタカードに搭載され、二つのＬＳＩそれぞれの配線群が完全に独立している。
【００１１】
詳細には、本発明に係る回路ボードのコネクタは、好適には、ＰＣＩ規格に準拠した形状を有し、ＰＣＩショートカードの規格内のサイズで作成された形状を有する。また、そのコネクタ形状は、他にもＩＳＡやＰＣＩ−Ｅｘｐｒｅｓｓ等の規格に準拠した形状とすることも可能である。
以下、本発明を実施するための最良の形態について図を参照しながら説明する。なお、本発明に係る回路ボードの好適な例として、コンピュータのスロットに挿抜されるアダプタカードを用いて説明するが、上記特徴を有するものであればよい。
【００１２】
発明の実施の形態１．
まず、図１を用いて、本発明に係るアダプタカードの構成について説明する。図１は、このアダプタカードの一構成例を示す平面模式図である。図１に示すように、アダプタカード１００は、第１のＬＳＩ１０１、第２のＬＳＩ１０２、第１のオスコネクタ１０３、第２のオスコネクタ１０４、ネジ穴１０５，１０６を有する。
【００１３】
ＬＳＩ１０１，１０２は、所定の機能を行う回路素子の一例であり、矩形状のアダプタカード１００の主面上に配設され、この主面上の中心付近に固定されている。ＬＳＩ１０１．１０２は、各ＰＣＩ用端子によって配線群１１１，１１２にそれぞれ接続され、これら配線群１１１，１１２を介してオスコネクタ１０３，１０４の金属端子１１３，１１４にそれぞれ接続されている。
【００１４】
オスコネクタ１０３，１０４はそれぞれ、矩形状のアダプタカード１００の長辺に設けられ、この長辺に平行で短辺の中心を通る中心線（対称軸）に関して線対称に配設されている。すなわち、アダプタカード１では、一般のＰＣＩ規格に準拠したアダプタカードにおけるオスコネクタに対向した位置に他のオスコネクタが配設されている。また、ＬＳＩ１０１，１０２の配置位置、配線群１１１，１１２の配設領域は、特に限定されないが、オスコネクタ１０３，１０４と同様に線対称に配置してもよい。
【００１５】
オスコネクタ１０３，１０４は、同一のバス・アーキテクチャーに対応している。そのため、オスコネクタ１０３，１０４の金属端子１１３，１１４は、同じ構造・形状を有し、特に各配置状態が同じである。また、これら金属端子１１３，１１４は同じ構造・形状を有するが、これに限らず、オスコネクタ１０３，１０４の形状や大きさが異なってもよい。この場合には、大きい側オスコネクタは、小さい側オスコネクタの金属端子の配置状態と同じ配置状態の金属端子を有し、これら同じ配置状態の金属端子をそれぞれ同じ位置に配置することができる。換言すれば、オスコネクタ１０３，１０４それぞれの金属端子は、差し込まれるスロット内の各端子に接続可能にこの各端子に対応した位置に配置され、オスコネクタ１０３，１０４の形状や大きさは異なってもよい。
【００１６】
ネジ穴１０５、１０６は、アダプタカード１００を後述するブラケットに着脱可能に装着するための固定手段の一例であり、これらネジ穴１０５，１０６に替えて差込スロット等の各種固定手段としてもよい。これらネジ穴１０５、１０６の中心点からアダプタカード１００の上下端までの距離は互いに等しい。ネジ穴１０５，１０６は、矩形状のアダプタカード１００の長辺と短辺とが交わる角部分に設けられている。また、ネジ穴１０５，１０６もまた、線対称に配置されたオスコネクタ１０３，１０４の対称軸に関して線対称に配設されている。
【００１７】
続いて、図２を用いて、本発明に係るブラケットの構成について説明する。図２は、このブラケットの一構成例を示す模式図である。図２（ａ）は上面図、図２（ｂ）は図２（ａ）の下方から観察した正面図、図２（ｃ）は図２（ａ）の右方から観察した側面図である。
図２に示すように、ブラケット２００は、アダプタカード１００をコンピュータのＰＣＩメスコネクタ（拡張スロット）に装着した際にアダプタカード１００をコンピュータに固定するための金具である。
【００１８】
具体的には、ブラケット２００は、ネジ穴２０１，２０２を有し、これらネジ穴２０１，２０２は、アダプタカード１００を取付けるための取付穴である。これらネジ穴２０１，２０２は、それぞれの中心点間の距離がアダプタカード１００におけるネジ穴１０５，１０６の中心点間の距離と等しくなるように位置決めされている。
【００１９】
次に、図３を用いて、本発明に係るアダプタカード１００の使用態様について説明する。図３は、この使用態様を説明するための平面模式図である。
ユーザーは、アダプタカード１００のコンピュータ２１０に差し込む向きを変更することによって、それぞれのＬＳＩ１０１，１０２の機能を使用することができる。詳細には、ユーザーが第１のＬＳＩ１０１の機能を使用する場合には、図３（ａ）に示すように、アダプタカード１００のネジ穴１０５とブラケット２００のネジ穴２０２とが重ね合わせられ、アダプタカード１００のネジ穴１０６とブラケット２００のネジ穴２０１とが重ね合わせられる。これら重ね合わせられたネジ穴１０５，２０２、ネジ穴１０６，２０１はネジ止めされる。これによって、ブラケット２００はアダプタカード１００に固定される。
【００２０】
第１のオスコネクタ１０３は、アダプタカード１００がブラケット２００に装着された状態でコンピュータ２１０のメスコネクタ２２０に挿入される。その後、図示しないが、コンピュータ２１０とブラケット２００とがネジ等の固定手段によって固定される。これによって、コンピュータ２１０と第１のＬＳＩ１０１との間で信号のやり取りが可能になり、ユーザーは第１のＬＳＩ１０１の機能を使用することができる。
【００２１】
ユーザーは、第１のＬＳＩ１０１の機能に替えて第２のＬＳＩ１０２の機能を使用する場合には、図３（ｂ）に示すように、アダプタカード１００は、第１のＬＳＩ１０１の機能を使用する状態に対して裏返した状態で使用される。具体的には、コンピュータ２１０とブラケット２００を固定していたネジ等の固定手段が一旦取り外され、第１のオスコネクタ１０３がメスコネクタ２２０から抜き取られる。これによって、アダプタカード１００はコンピュータ２１０から取り外される。
【００２２】
アダプタカード１００とブラケット２００と固定していたネジが取り外され、この状態でアダプタカード１００の表裏がひっくり返される。換言すれば、アダプタカード１００は、ブラケット２００から取り外された状態で、線対称に配置されたオスコネクタ１０３，１０４の対象軸を中心に１８０度回転する。これによって、アダプタカード１００の対辺の位置が逆となる。アダプタカード１００のネジ穴１０５とブラケット２００のネジ穴２０１とが重ね合わせられ、アダプタカード１００のネジ穴１０６とブラケット２００のネジ穴２０２をそれぞれ重ね合わせられ、それぞれネジ止めされる。
【００２３】
第２のオスコネクタ１０４は、アダプタカード１００がブラケット２００に装着された状態でコンピュータ２１０のメスコネクタ２２０に挿入される。その後、図示しないが、コンピュータ２１０とブラケット２００をネジ等の固定手段によって固定される。これによって、コンピュータ２１０と第２のＬＳＩ１０２との間で信号のやり取りが可能になり、第２のＬＳＩ１０２の機能を使用することができる。
【００２４】
このように、ＬＳＩ１０１，１０２の各機能を使用する場合には、アダプタカード１００は同じブラケット２００に表裏ひっくり返した状態で固定され、オスコネクタ１０３，１０４はこの状態でメスコネクタ２２０に挿入される。換言すれば、アダプタカード１００のメスコネクタ２２０に対する配置状態は、使用されるオスコネクタ１０３，１０４のいずれが挿入されるかによって適宜選択される。具体的には、アダプタカード１００の配置状態は、使用されるオスコネクタ１０３，１０４がコンピュータ２１０のメスコネクタ２２０に対峙するように選択される。
【００２５】
以上のように、本発明によれば、１枚のアダプタカード１００に二つの対向したオスコネクタ１０３，１０４が設けられている。そのため、アダプタカ−ド１００を表裏ひっくり返すことによって、使用するオスコネクタ１０３，１０４を簡便に選択することができる。これらオスコネクタ１０３，１０４それぞれに対応してＬＳＩ１０１，１０２が搭載されているので、使用するオスコネクタ１０３，１０４を変更することによって、各ＬＳＩ１０１，１０２の機能を切り替えて使用することができる。特に、本発明に係るアダプタカード１００では、ＬＳＩ１０１，１０２がスイッチやセレクタ等の切替え手段を介さずにオスコネクタ１０３，１０４に直接接続されているので、アダプタカード１００の差し込む向きを変えるだけで、使用するオスコネクタ１０３，１０４を変更することができる。また、アダプタカード１００を表裏ひっくり返してブラケット２００に固定するので、各オスコネクタ１０３，１０４に対応した２種類のブラケットを作成する必要がない。これによって、アダプタカード１００のコストが上昇するのを抑制することができ、多機能で低コストなアダプタカード１００を実現することができる。
【００２６】
一般に、一つのアダプタカードに複数のＬＳＩを搭載する場合には、複数のＬＳＩとＰＣＩオスコネクタの間の配線群にスイッチを設けたり、アドレス線やデータ線など複数のＬＳＩに共用で使用できる信号線群を分岐させたりする。この場合には、スイッチ回路によるスイッチ遅延の問題や、冗長な配線によって寄生容量が大きくなり信号品質が劣化するという問題がある。
【００２７】
本発明では、各ＬＳＩ１０１，１０２は、配線群１１１，１１２を介して、オスコネクタ１０３，１０４それぞれと独立に直結している。そのため、通常の１枚のアダプタカード１００に、一つのＬＳＩのみを搭載した場合と同様に構成することができる。従って、スイッチ遅延の問題や、寄生容量が大きくなり信号品質が劣化するという問題を大幅に改善することができる。また、ＬＳＩ１０１，１０２とオスコネクタ１０３，１０４とがそれぞれ直結しているので、これらを切り替えるバスブリッジ機能を有する素子を余分に搭載する必要がない。これによって、低コストなアダプタカード１００を実現することができる。
【００２８】
発明の実施の形態２．
本実施形態２では、実施形態１と同様に二つのＬＳＩが搭載されているが、本実施形態２のアダプタカードは、ＬＳＩ１０１，１０２がそれぞれＵＳＢコントローラ、ＩＥＥＥ１３９４コントローラとして機能する。
【００２９】
まず、図４，５を用いて、本実施形態２におけるアダプタカードの構成について説明する。図４は、本実施形態２におけるアダプタカードの一構成例を示す平面模式図である。なお、以下では、実施形態１のアダプタカード１００と同一の部分には同じ番号を付し、ここではその説明は省略する。
図４に示すように、アダプタカード３００は、実施形態１の構成に加えて、第１の機器側コネクタ３０１、第２の機器側コネクタ３０２を有する。これら機器側コネクタ３０１，３０２はそれぞれ、ＬＳＩ１０１，１０２に対応して、ＵＳＢコネクタ、ＩＥＥＥ１３９４コネクタとして機能する。
【００３０】
機器側コネクタ３０１，３０２は、矩形状のアダプタカード３００の主面上に配設され、ＬＳＩ１０１，１０２の配設面に固定されている。詳細には、機器側コネクタ３０１，３０２は、ネジ穴１０５，１０６が設けられた短辺近傍に配置されている。
機器側コネクタ３０１，３０２は、配線群３１１，３１２にそれぞれ接続され、これら配線群３１１，３１２によって、各ＬＳＩ１０１，１０２にそれぞれ接続されている。これら配線群３１１，３１２は、機器側コネクタ３０１，３０２とＬＳＩ１０１，１０２とをそれぞれ接続すればよい。図４では、配線群３１１，３１２は、ＬＳＩ１０１，１０２と機器側コネクタ３０１，３０２とがアダプタカード３００の長辺方向に離れているため、この長辺方向に延在している。
【００３１】
続いて、図５を用いて、本実施形態２におけるアダプタカード３００の配線構造について説明する。
図５は、本実施形態２におけるアダプタカード３００の接続配線の一例を示すブロック図である。図５に示すように、第１のＬＳＩ１０１の配線群１１１，３１１と第２のＬＳＩ１０２の配線群１１２，３１２は、それぞれ完全に独立している。
具体的には、ＵＳＢコントローラとして機能する第１のＬＳＩ１０１は、コンピュータ２１０との間で配線群１１１を介して、各種信号"ＡＤ［３１：０］"、"ＣＢＥ［３：０］"、・・・を入出力する。それとともに、第１のＬＳＩ１０１は、ＵＳＢコネクタ３０１との間で配線群３１１を介して、各種信号"ＤＭ１"、"ＤＰ１"、・・・を入出力する。これによって、コンピュータ２１０とＵＳＢインタフェースを有する周辺機器とは、各種信号の入出力を行う。
【００３２】
ＩＥＥＥ１３９４コントローラとして機能する第２のＬＳＩ１０２は、第１のＬＳＩ１０１と同様に、コンピュータ２１０との間で配線群１１２を介して、各種信号"ＡＤ［３１：０］"、"ＣＢＥ［３：０］"、・・・を入出力する。それとともに、第２のＬＳＩ１０２は、ＩＥＥＥ１３９４コネクタ３０２との間で配線群３１２を介して、各種信号"ＴｐＢ１ｎ"、"ＴｐＢ１ｐ"、・・・を入出力する。これによって、コンピュータ２１０とＩＥＥＥ１３９４インタフェースを有する周辺機器とは、各種信号の入出力を行う。
【００３３】
次に、図６を用いて、本実施形態２に係るアダプタカード３００の使用態様について説明する。図６は、本実施形態２におけるアダプタカード３００の使用態様を示す平面模式図である。なお、本実施形態２のアダプタカード３００とブラケット２００との連結構成については、実施形態１と同様であるため、ここではその説明を省略する。また、アダプタカード３００のコンピュータ２１０への装着態様も、アダプタカード３００をひっくり返して使用する。これについても実施形態１と同様であるため、ここではその説明を省略する。
【００３４】
本実施形態２のアダプタカード３００では、ユーザーの要求に応じて使用する機能が選択される。具体的には、図６に示すように、ユーザーがＩＥＥＥ１３９４用ケーブル３２１，３２２を使用する場合には、第２のオスコネクタ１０４は、コンピュータ２１０のメスコネクタ２２０に挿入される。これによって、コンピュータ２１０は、第２のＬＳＩ１０２との間で信号のやり取りが可能になり、ユーザーは第２のＬＳＩ１０２の機能を使用することができる。
【００３５】
ＩＥＥＥ１３９４用ケーブル３２１，３２２の一端がハードディスク（ＨＤＤ；Hard Disc Drive）３３１やデジタルカメラ（ＤＶカメラ；Digital Video Camera）３３２に接続され、その他端はそれぞれ機器側コネクタ３０２に差込まれている。第２のＬＳＩ１０２は、配線群３１２を介して機器側コネクタ３０２に接続されているので、ハードディスク３３１やデジタルカメラ３３２とデータのやり取りが可能になる。これによって、コンピュータ２１０は、第２のＬＳＩ１０２を介してハードディスク３３１やデジタルカメラ３３２との間でデータのやり取りが可能になる。
【００３６】
ユーザーがＵＳＢ用ケーブルを使用する場合には、アダプタカード３００の上下をひっくり返してブラケット２００を上下反対向きに付け替える。オスコネクタ１０３は、この状態でコンピュータ２１０のメスコネクタ２２０に挿入される。これによって、コンピュータ２１０は、第１のＬＳＩ１０１との間で信号のやり取りが可能になり、ユーザーは第１のＬＳＩ１０１の機能を使用することができる。
【００３７】
周辺機器は、ＵＳＢ用ケーブルによってコネクタ３０１に接続されている。第１のＬＳＩ１０１は、配線群３１１を介して機器側コネクタ３０１が接続されているので、周辺機器とデータのやり取りが可能になる。これによって、コンピュータ２１０は、第１のＬＳＩ１０１を介して周辺機器との間でデータのやり取りが可能になる。
【００３８】
このように、本実施形態２では、実施形態１における効果に加えて、アダプタカード３００に接続する周辺機器がＵＳＢもしくはＩＥＥＥ１３９４のどちらかのインタフェースしか有していない場合にも対応することができる。即ち、アダプタカード３００をコンピュータ２１０に挿す向きを変更することによって、ＵＳＢ、ＩＥＥＥ１３９４どちらの場合でもこれら周辺機器とコンピュータ２１０との間でデータのやり取りが可能になる。
【００３９】
発明の実施の形態３．
本実施形態３では、実施形態２と同様に二つのＬＳＩが特定の機能を実行するが、これらＬＳＩが同じ機能を実行し、その特性が異なるアダプタカードについて説明する。具体的には、本実施形態３のアダプタカードは、ＬＳＩ１０１，１０２がそれぞれＩＥＥＥ１３９４における第１のデータリンク層コントローラ、第２のデータリンク層コントローラとして機能する。
【００４０】
まず、図７，８を用いて、本実施形態３におけるアダプタカードの構成について説明する。図７は、本実施形態３におけるアダプタカードの一構成例を示す平面模式図である。なお、以下では、実施形態２のアダプタカード３００と同一の部分には同じ番号を付し、ここではその説明は省略する。
図７に示すように、アダプタカード４００は、実施形態２の構成に加えて、機器側コネクタ４０１、第３のＬＳＩ４０２、バス切替回路４０３を有する。
【００４１】
機器側コネクタ４０１は、矩形状のアダプタカード４００の主面上に配設され、ＬＳＩ１０１，１０２の配設面に固定されている。詳細には、機器側コネクタ４０１は、ネジ穴１０５，１０６が設けられた短辺近傍に配置されている。機器側コネクタ４０１は、配線群４１１に接続され、この配線群４１１を介して第３のＬＳＩ４０２のＩＥＥＥ１３９４用端子に接続されている。
第３のＬＳＩ４０２は、ＬＳＩ１０１，１０２と異なって特定の機能を行う回路素子の一例であり、ＩＥＥＥ１３９４における物理層コントローラとして機能する。第３のＬＳＩ４０２は、配線群４１２に接続され、この配線４１２を介してバス切替回路４０３に接続さている。また、配線群４１１，４１２は、機器側コネクタ４０１、第３のＬＳＩ４０２、バス切替回路４０３を接続すればよいが、図７ではアダプタカード４００の長辺方向に延在している。
【００４２】
バス切替回路４０３は、各ＬＳＩ１０１，１０２と第３のＬＳＩ４０２とを接続するバスを切り替える。バス切替回路４０３は、配線群４１３，４２３のそれぞれに接続され、これら配線群４１３，４２３を介してＬＳＩ１０１，１０２の物理層用端子それぞれに接続されている。また、配線群４１３，４２３は、バス切替回路４０３と各ＬＳＩ１０１，１０２を独立に接続すればよいが、図７ではアダプタカード４００の長辺方向に対して傾斜している。
【００４３】
続いて、図８を用いて、本実施形態３におけるアダプタカード４００の配線構造について説明する。
図８は、本実施形態３におけるアダプタカード４００の配線構造の一例を示すブロック図である。図８に示すように、ＬＳＩ１０１，１０２それぞれに接続された配線群１１１，４１３と配線群１１２，４２３はそれぞれ完全に独立し、それぞれ配線群１１１，１１２によってオスコネクタ１０３，１０４に直結している。バス切替回路４０３によって、第３のＬＳＩ４０２をＬＳＩ１０１，１０２のどちらに接続するか選択することができる。
【００４４】
詳細には、第１のＩＥＥＥ１３９４におけるデータリンク層コントローラとして機能する第１のＬＳＩ１０１は、コンピュータ２１０との間で配線群１１１を介して、各種信号"ＡＤ［３１：０］"、"ＣＢＥ［３：０］"、・・・を入出力する。第１のＬＳＩ１０１は、配線群４１３を介して、各種信号"Ｄ［７：０］"、"ＣＴＬ［１：０］"、・・・をバス切替回路４０２との間で入出力を行う。
【００４５】
バス切替回路４０３は、配線群４１２を介して、ＩＥＥＥ１３９４における物理層コントローラとして機能する第３のＬＳＩ４０２との間で、これら各種信号"Ｄ［７：０］"、"ＣＴＬ［１：０］"、・・・の入出力を行う。第３のＬＳＩ４０２は、配線４１１を介して、ＩＥＥＥ１３９４コネクタ４０１との間で各種信号"ＴｐＢ１ｎ"、"ＴｐＢ１ｐ"、・・・を入出力する。これによって、コンピュータ２１０と第１の特性を有するＩＥＥＥ１３９４インタフェースを有する周辺機器とは、各種信号の入出力を行う。
【００４６】
第２のＩＥＥＥ１３９４におけるデータリンク層コントローラとして機能する第２のＬＳＩ１０２は、コンピュータ２１０との間で配線群１１２を介して、各種信号"ＡＤ［３１：０］"、"ＣＢＥ［３：０］"、・・・を入出力する。第２のＬＳＩ１０２は、配線群４２３を介して、各種信号"Ｄ［７：０］"、"ＣＴＬ［１：０］"、・・・をバス切替回路４０２との間で入出力を行う。
【００４７】
バス切替回路４０３は、配線群４１２を介して、ＩＥＥＥ１３９４における物理層コントローラとして機能する第３のＬＳＩ４０２との間で、これら各種信号"Ｄ［７：０］"、"ＣＴＬ［１：０］"、・・・の入出力を行う。第３のＬＳＩ４０２は、配線４１１を介して、ＩＥＥＥ１３９４コネクタ４０１との間で各種信号"ＴｐＢ１ｎ"、"ＴｐＢ１ｐ"、・・・を入出力する。これによって、コンピュータ２１０と第２の特性を有するＩＥＥＥ１３９４インタフェースを有する周辺機器とは、各種信号の入出力を行う。
【００４８】
次に、図９を用いて、本実施形態３に係るアダプタカード４００の使用態様について説明する。図９は、本実施形態３におけるアダプタカード４００の使用態様を示す平面模式図である。なお、本実施形態３のアダプタカード４００とブラケット２００との連結構成については、実施形態１と同様であるため、ここではその説明を省略する。また、アダプタカード４００のコンピュータ２１０への装着態様も、アダプタカード４００をひっくり返して使用する。これについても実施形態１と同様であるため、ここではその説明を省略する。
【００４９】
本実施形態３のアダプタカード４００は、第３のＬＳＩ４０２が同一環境で各ＬＳＩ１０１，１０２のどちらに接続しても正常に動作することを評価するために使用することができる。具体的には、一般に、ロットの違いによるＬＳＩ製造上のばらつきであったり、製造メーカが異なったりして、それぞれの半導体の特性が異なることがある。このような状況で、１枚のアダプタカード４００を用いて、ＬＳＩ１０１，１０２の機能は同一であっても、物理層コントローラとして機能する第３のＬＳＩ４０２とＬＳＩ１０１，１０２の接続性の評価に使用することができる。
【００５０】
図９に示すように、試験者が第３のＬＳＩ４０２と第２のＬＳＩ１０２との接続性を調べる場合には、第２のオスコネクタ１０４は、コンピュータ２１０のメスコネクタ２２０に挿入される。これによって、コンピュータ２１０は、第２のＬＳＩ１０２との間で信号のやり取りが可能になり、第２のＬＳＩ１０２の機能が使用される。
【００５１】
第２のＬＳＩ１０２は、第２のオスコネクタ１０４の挿入に応じて、配線群４２３を介してバス切替回路４０３に対して切替制御信号を入力する。第２のＬＳＩ１０２はバス切替回路４０３を配線群４２３側に切り替えさせ、バス切替回路４０３は第２のＬＳＩ１０２を選択する。第２のＬＳＩ１０２は、配線群４１２を介して第３のＬＳＩ４０２とデータのやり取りが可能になる。
【００５２】
ＩＥＥＥ１３９４用ケーブル３２１の一端がハードディスク３３１に接続され、その他端は機器側コネクタ４０１に差込まれている。第３のＬＳＩ４０２は、配線群４１１を介して機器側コネクタ４０１に接続されているので、ハードディスク３３１とデータのやり取りが可能になる。これによって、第２のＬＳＩ１０２は第３のＬＳＩ４０２を介してハードディスク３３１とデータのやり取りが可能となり、コンピュータ２１０とハードディスク３３１とがデータのやり取りが可能になる。
【００５３】
試験者が第３のＬＳＩ４０２と第１のＬＳＩ１０１との接続性を調べる場合には、第２のＬＳＩ１０２との接続性を調べる場合と同様に、その接続性が調べられる。具体的には、アダプタカード４００の第１のオスコネクタ１０３がコンピュータ２１０のメスコネクタ２２０に差し込まれる。これによって、第１のＬＳＩ１０１の機能が使用され、第１のＬＳＩ１０１は第３のＬＳＩ４０２を介してハードディスク３３１とデータのやり取りが可能となる。
【００５４】
このように、試験者は、本実施形態３のアダプタカード４００を用いて、第３のＬＳＩ４０２と特性が異なるＬＳＩ１０１，１０２それぞれとの接続性を調べ、両者の比較検討を行うことができる。それ故、ＬＳＩ１０１、１０２の動作の差分を１枚のアダプタカードで経済的に評価することができる。さらに、ＬＳＩ１０１，１０２に関する配線群４１２と１１１，４１３、配線群４１２と１１２，４２３がそれぞれ互いに独立している。そのため、実動作状態に近い状態でそれぞれのＬＳＩ１０１，１０２の機能評価を行うことができる。
【図面の簡単な説明】
【００５５】
【図１】本発明に係るアダプタカードの外観構成の一例を示す平面模式図である。
【図２】本発明に係るブラケットの外観構成の一例を示す平面模式図である。
【図３】本発明に係るアダプタカードの使用態様の一例を示す平面模式図である。
【図４】本発明に係るアダプタカードの外観構成の一例を示す平面模式図である。
【図５】本発明に係るアダプタカードの配線構成の一例を示す平面模式図である。
【図６】本発明に係るアダプタカードの使用態様の一例を示す平面模式図である。
【図７】本発明に係るアダプタカードの外観構成の一例を示す平面模式図である。
【図８】本発明に係るアダプタカードの配線構成の一例を示す平面模式図である。
【図９】本発明に係るアダプタカードの使用態様の一例を示す平面模式図である。
【符号の説明】
【００５６】
１００…アダプタカード、１０１…第１のＬＳＩ、１０２…第２のＬＳＩ、
１０３…第１のＰＣＩオスコネクタ、１０４…第２のＰＣＩオスコネクタ、
１０５，１０６…ネジ穴、１１１，１１２…配線群、１１３，１１４…金属端子
２００…ブラケット、２０１，２０２…ネジ穴
２１０…コンピュータ、２２０…メスコネクタ
３００…アダプタカード、３０１，３０２…機器側コネクタ、
３１１，３１２…配線群、
３２１，３２２…ケーブル、３３１…ハードディスク、３３２…デジタルカメラ
４００…アダプタカード、４０１…機器側コネクタ、４０２…第３のＬＳＩ、
４０３…バス切替回路、
４１１，４１２…配線群、４１３，４２３…配線群
【図１】
2007316722.tif 000003
【図２】
2007316722.tif 000004
【図３】
2007316722.tif 000005
【図４】
2007316722.tif 000006
【図５】
2007316722.tif 000007
【図６】
2007316722.tif 000008
【図７】
2007316722.tif 000009
【図８】
2007316722.tif 000010
【図９】
2007316722.tif 000011